(57)【特許請求の範囲】
【請求項１】
長手方向（Ｃ）に延びる細長い本体（４）を備える剃刀の柄（２）であって、
前記細長い本体（４）は、外面（４Ｅ）を有し、かつ前記外面（４Ｅ）に開口するとともに前記細長い本体（４）の内側の内部空間を区切る第１の孔部（９）を設けられ、前記剃刀の柄（２）は前記第１の孔部（９）内に設けられた構成要素（１２）をさらに備える、剃刀の柄（２）において、
前記構成要素（１２）は、前記細長い本体（４）と一体であるとともに、前記第１の孔部（９）の前記内部空間より小さな最大径を有し、かつ前記第１の孔部（９）の前記内部空間の形状とは異なる外部形状を有することを特徴とする、剃刀の柄（２）。
【請求項２】
前記細長い本体（４）は、第１の材料（２２）及び第２の材料（２３）を備え、前記構成要素（１２）は前記第２の材料（２３）からなることを特徴とする請求項１に記載の剃刀の柄（２）。
【請求項３】
前記第１の材料（２２）はプラスティックの中から選択され、一方で前記第２の材料（２３）はゴムの中から選択されることを特徴とする請求項２に記載の剃刀の柄（２）。
【請求項４】
前記構成要素（１２）は、前記第１の孔部（９）内に成形されていることを特徴とする請求項１〜３のいずれか一項に記載の剃刀の柄（２）。
【請求項５】
前記構成要素（１２）は、前記長手方向（Ｃ）に対して垂直な方向において前記第１の孔部（９）内に延びる部分（１２Ｃ）を備えることを特徴とする請求項１〜４のいずれか一項に記載の剃刀の柄（２）。
【請求項６】
前記構成要素（１２）は、球状の形状を有する外面（１２Ｂ）を有することを特徴とする請求項１〜５のいずれか一項に記載の剃刀の柄（２）。
【請求項７】
前記構成要素（１２）は、指を置く領域を形成することを特徴とする請求項１〜６のいずれか一項に記載の剃刀の柄（２）。
【請求項８】
前記剃刀の柄（２）は第２の孔部（１０）を備え、前記第２の孔部（１０）は前記細長い本体（４）の前記外面（４Ｅ）に開口することを特徴とする請求項１〜７のいずれか一項に記載の剃刀の柄（２）。
【請求項９】
前記剃刀の柄（２）は、前記第２の孔部（１０）内に部分的に封止された挿入部材（１１）を備えることを特徴とする請求項８に記載の剃刀の柄（２）。
【請求項１０】
前記挿入部材（１１）は、前記第２の孔部（１０）内で動くことができず、前記動くことができない挿入部材（１１）は指を置く領域を形成することを特徴とする請求項９に記載の剃刀の柄（２）。
【請求項１１】
前記挿入部材（１１）は前記第２の孔部（１０）内で可動であることを特徴とする請求項９に記載の剃刀の柄（２）。
【請求項１２】
前記挿入部材（１１）は球状であることを特徴とする請求項９〜１１のいずれか一項に記載の剃刀の柄（２）。
【請求項１３】
前記挿入部材（１１）は、前記長手方向（Ｃ）に垂直な方向において測定した、前記細長い本体（４）の幅（Ｗ１）の１０％〜８０％の直径（Ｄ１１）を有することを特徴とする請求項１２に記載の剃刀の柄（２）。
【請求項１４】
前記挿入部材（１１）は、前記細長い本体（４）の材料の密度とは異なる密度を有する剛体材料から作られることを特徴とする請求項９〜１３のいずれか一項に記載の剃刀の柄（２）。
【請求項１５】
前記挿入部材（１１）は、金属、プラスティック、及びゴムの中から選択された材料を備えることを特徴とする請求項９〜１４のいずれか一項に記載の剃刀の柄（２）。
【請求項１６】
前記細長い本体（４）は上面（４Ａ）及び下面（４Ｂ）を有し、前記下面（４Ｂ）は前記上面（４Ａ）に対向し、前記第１及び第２の孔部（９、１０）は、前記上面（４Ａ）と、前記下面（４Ｂ）と、の間に延びる貫通孔であることを特徴とする請求項８〜１５のいずれか一項に記載の剃刀の柄（２）。
【請求項１７】
前記下面（４Ｂ）は前記上面（４Ａ）に対向し、前記上面（４Ａ）の少なくとも一部（１９）及び前記下面（４Ｂ）の少なくとも一部（２０）は前記第２の材料（２３）で覆われ、それによって前記一部それぞれが、少なくとも上部把持領域（１９）及び少なくとも下部把持領域（２０）それぞれを形成することを特徴とする請求項２〜１６のいずれか一項に記載の剃刀の柄（２）。
【請求項１８】
前記構成要素（１２）は、前記上面（４Ａ）及び前記下面（４Ｂ）を覆う前記第２の材料（２３）と一体の構成要素を形成することを特徴とする請求項１７に記載の剃刀の柄（２）。
【請求項１９】
前記細長い本体（４）は、互いに対向するとともに、前記上面（４Ａ）と、前記下面（４Ｂ）と、の間で前記長手方向に延びる２つの側面（４Ｃ、４Ｄ）を有し、前記側面（４Ｃ、４Ｄ）は、前記第２の材料（２３）からなる複数の滑らかなリブ（１６）を備え、前記滑らかなリブ（１６）のそれぞれは、前記上部把持領域（１９）と、前記下部把持領域（２０）と、を一緒に接続していることを特徴とする請求項１７又は１８に記載の剃刀の柄（２）。
【請求項２０】
前記剃刀の柄（２）は前端（２Ａ）と、後端（２Ｂ）と、の間に延び、前記後端（２Ｂ）は前記前端（２Ａ）に対向し、前記前端（２Ａ）には、髭剃りカートリッジ（３）への接続のための接続手段（５）が設けられていることを特徴とする請求項１〜１９のいずれか一項に記載の剃刀の柄（２）。
【請求項２１】
前記挿入部材（１１）は前記前端（２Ａ）の近傍に配置され、一方で前記構成要素（１２）は前記後端（２Ｂ）の近傍に配置されていることを特徴とする請求項９〜１９のいずれか一項及び請求項２０に記載の剃刀の柄（２）。
【請求項２２】
前記挿入部材（１１）は、その重心を、前記前端（２Ａ）から前記長手方向（Ｃ）に沿って測定された、前記剃刀の柄（２）の長さ（Ｌ）の１０％〜３０％の距離（Ｌ１１）に位置する第１の点（１１Ａ）に有することを特徴とする請求項２１に記載の剃刀の柄（２）。
【請求項２３】
前記構成要素（１２）は、その重心を、前記後端（２Ｂ）から前記長手方向（Ｃ）に沿って測定された、前記剃刀の柄（２）の長さ（Ｌ）の１０％〜３０％の距離（Ｌ１２）に位置する第２の点（１２Ａ）に有することを特徴とする請求項２１に記載の剃刀の柄（２）。
【請求項２４】
前記長手方向（Ｃ）に沿って測定された、前記第１の点（１１Ａ）と、前記第２の点（１２Ａ）と、の間の距離（Ｌ１１−１２）は、前記剃刀の柄（２）の長さの５０％〜７０％であることを特徴とする請求項２２及び２３に記載の剃刀の柄。
【請求項２５】
前記側面（４Ｃ、４Ｄ）のそれぞれは、前記剃刀の柄（２）の前記前端（２Ａ）の近傍に、離間して突出する複数のピン（１８）を備えることを特徴とする請求項１９及び２０に記載の剃刀の柄（２）。
【請求項２６】
前記第２の孔部（１０）は内部側壁（１０Ａ）を有し、保持リング（１３）が前記内部側壁（１０Ａ）から突出するとともに、前記挿入部材（１１）を前記第２の孔部（１０）内に保持するために、前記挿入部材（１１）を少なくとも部分的に周辺で取り囲むことを特徴とする請求項９〜２５のいずれか一項に記載の剃刀の柄（２）。
【請求項２７】
前記第１の孔部（９）は、前記長手方向（Ｃ）に延びる細長い棒状部材（１４）によって分割され、前記細長い棒状部材（１４）は、前記構成要素（１２）を少なくとも部分的に周辺で取り囲む部分（１４Ａ）を備えることを特徴とする請求項１〜２６のいずれか一項に記載の剃刀の柄（２）。
【請求項２８】
前記第１の孔部（９）は内部側壁（９Ａ）を備え、前記第１の孔部（９）は、互いに対向するとともに前記内部側壁（９Ａ）から突出する２つの突出部（１５Ａ、１５Ｂ）をさらに備え、かつ前記構成要素（１２）の形状に部分的に相補的な形状を有することを特徴とする請求項１〜２７のいずれか一項に記載の剃刀の柄（２）。
【請求項２９】
前記第１の孔部（９）は、前記細長い本体（４）の内側に備えられた第１の内部空間（９Ｂ）を区切り、前記第２の孔部（１０）は、前記細長い本体（４）の内側に備えられた第２の内部空間（１０Ｂ）を区切り、前記構成要素（１２）及び前記挿入部材（１１）のそれぞれは、前記第１の孔部及び前記第２の孔部（９、１０）の前記内部空間（９Ｂ、１０Ｂ）よりそれぞれ小さい最大径を有することを特徴とする請求項９〜２８のいずれか一項に記載の剃刀の柄（２）。
【請求項３０】
前記剃刀の柄（２）は、断面において、滑らかな角部を有する略台形状の形状（ＴＺ）を有することを特徴とする請求項１〜２９のいずれか一項に記載の剃刀の柄（２）。
【請求項３１】
請求項１〜３０のいずれか一項に記載の剃刀の柄（２）と、該剃刀の柄（２）に接続された髭剃りカートリッジ（３）と、を備える剃刀（１）。
【請求項３２】
前記剃刀カートリッジ（３）がトリミング用刃を備えることを特徴とする請求項３１に記載の剃刀（１）。
【発明の詳細な説明】
【技術分野】
【０００１】
本発明は、剃刀の柄及び剃刀に関する。
【背景技術】
【０００２】
より具体的には、本発明は、長手方向に延びる細長い本体を備える剃刀の柄に関し、この細長い本体は外面を有するとともにこの外面に開口する第１の孔を設けられており、剃刀の柄は、この第１の孔内に設けられた構成要素をさらに備えている。
【０００３】
特許文献１は、第１の剛性材料にモールド成形された内側コア及びこの内側コアから分離した挿入部材を備える既知の剃刀の柄の例を開示する。第２の材料は、把持部を形成するとともに、挿入部材を包み込んでいる。
【０００４】
しかし、剃刀の柄のそのような挿入部材を、製造の時間及びコストをかけることなく包含させることは困難であることが多い。さらに、挿入部材が剃刀の柄から不注意で外れてしまう危険がある。
【先行技術文献】
【特許文献】
【０００５】
【特許文献１】欧州特許第２２５０００３号明細書
【発明の概要】
【発明が解決しようとする課題】
【０００６】
本発明の１つの目的は、これら欠点を回避することである。より具体的には、本発明の１つの目的は、髭剃り中の使用者の髭剃りの感覚的体験（ｓｈａｖｉｎｇ  ｅｘｐｅｒｉｅｎｃｅ）を改善しつつ、本発明に係る剃刀の柄の製造を容易化することである。
【０００７】
別の目的は、本発明に係る剃刀の柄の構成要素の不注意による分離を回避することである。
【課題を解決するための手段】
【０００８】
これは、本発明によれば、前記構成要素が細長い本体と一体にされており、前記第１の孔部の形状とは異なる形状を有するという事実によって解決される。
【０００９】
したがって、剃刀の柄は、細長い本体と一体ではない挿入部を組み込むことなく容易に製造することができる。
【００１０】
さらに、構成要素は、細長い本体の材料でもある所定の材料からなる。したがって、構成要素は細長い本体とともに容易に成形することができる。
【００１１】
そのような剃刀の柄の有利な実施形態では、以下の１つ及び／又は他の特徴を組み込むことができる。
【００１２】
‐細長い本体は、第１の材料及び第２の材料を備え、構成要素は前記第２の材料から成る。
‐構成要素は第１の孔部内に成形される。
‐構成要素は、長手方向に対して垂直な方向において第１の孔部内に延びる。
‐第１の材料はプラスティックから選択されるが、第２の材料はゴムから選択される。
‐構成要素は、球状の形状を有する外面を有する。
【００１３】
‐構成要素は指を置く領域（ｆｉｎｇｅｒ  ｒｅｓｔ  ａｒｅａ）を形成する。
‐剃刀の柄は第２の孔部を備え、この第２の孔部は、細長い本体の外面に開口する。
‐剃刀の柄は、第２の孔部内に部分的に封止された挿入部材を備える。
‐挿入部材は第２の孔部内では動くことができず、この動くことができない挿入部材が指を置く領域を形成する。
‐挿入部材は第２の孔部内で可動である。
【００１４】
‐挿入部材は球状である。
‐挿入部材は、１０ｍｍ〜２０ｍｍの直径を有する。
‐挿入部材は、長手方向に垂直な方向において測定された、細長い本体の幅の１０％〜８０％の直径を有する。
‐挿入部材は、細長い本体の密度とは異なる密度を有する剛体材料から成る。
‐挿入部材は、金属、プラスティック、及びゴムから選択された材料を備える。
【００１５】
‐細長い本体は上面及び下面を有し、下面は上面に対向し、第１及び第２の孔部は、前記上面と前記下面との間に延びる貫通孔である。
‐下面は上面に対向し、上面の少なくとも一部及び下面の少なくとも一部は、これら部分がそれぞれ少なくとも上部把持領域及び少なくとも下部把持領域を形成するように、第２の材料で覆われている。
‐構成要素は、上面及び下面を覆う第２の材料と一体構成要素を形成する。
‐細長い本体は、互いに対向するとともに上面と下面との間に長手方向に延びる２つの側面を有し、前記側面は第２の材料から成る複数の滑らかなリブを備え、前記滑らかなリブのそれぞれは、上部把持領域及び下部把持領域を一緒に接続する。
‐剃刀の柄は前端と後端との間に延び、後端は前端に対向し、前端には髭剃りカートリッジへの接続のための接続手段が設けられている。
【００１６】
‐挿入部材は前端の近傍に配置されており、一方で構成要素は後端の近傍に配置されている。
‐挿入部材は、長手方向に沿って測定した前端から約３０ｍｍの距離に位置する第１の点を中心とする。
‐構成要素は、長手方向に沿って測定した後端から約２０ｍｍの距離に位置する第２の点を中心とする。
‐長手方向に沿って測定した第１の点と第２の点との間の距離は７０ｍｍ〜９０ｍｍである。
‐挿入部材は、前端から長手方向に沿って測定された剃刀の柄の長さの１０％〜３０％の距離にある第１の点を中心とする。
【００１７】
‐構成要素は、後端から長手方向に沿って測定された、剃刀の柄の長さの１０％〜３０％の距離にある第２の点を中心とする。
‐長手方向に沿って測定された第１の点と第２の点との間の距離は、剃刀の柄の長さの５０〜７０％である。
‐側面それぞれは、剃刀の柄の前端の近傍に、離間して突出する複数のピンを備える。
‐第２の孔部は内側壁を有し、保持リングが、この内側壁から突出するとともに、前記第１の孔部内に挿入部材を保持するために挿入部材を少なくとも部分的にその周囲で取り囲む。
‐第１の孔部は、長手方向に延びる細長い棒状部材（ｂａｒ）によって分割されており、前記細長い棒状部材は、構成要素を少なくとも部分的に周囲で取り囲む部分を備える。
【００１８】
‐第２の孔部は内側壁を備え、前記第１の孔部は、互いに対向するとともに前記内側壁から突出し、かつ構成要素の形状に対して部分的に相補的な形状を有する、２つの突出部をさらに備える。
‐第１及び第２の孔部のそれぞれは、細長い本体の内側に備えられた内部空間を区切り、挿入部材及び構成要素は、前記内部空間よりそれぞれ小さい前記第１及び第２の孔部のサイズを有する。
‐剃刀の刃は、その断面において、滑らかな角部を有する略台形状の形状を有する。
【００１９】
また、本発明は、そのような剃刀の柄及びこの剃刀の柄に接続された髭剃りカートリッジを備える剃刀にも関する。
【００２０】
一実施形態によれば、髭剃りカートリッジはトリミング用ブレードを備えることができる。
【００２１】
本発明の上述した及び他の目的、並びに利点が、添付の図面に関連して考慮された、本発明の一実施形態の詳細な説明から明らかとなるであろう。
【図面の簡単な説明】
【００２２】
【図１】髭剃りカートリッジに接続された剃刀の柄を備える本発明に係る剃刀の斜視図である。
【図２】図１の剃刀の斜視図であって、髭剃りカートリッジが剃刀の柄から外されている。
【図３Ａ】図１の剃刀の柄の上面図である。
【図３Ｂ】図１の剃刀の柄の下面図である。
【図４】図１の剃刀の柄の側面図である。
【図５】図３Ａに示された剃刀の柄の、線Ｖ−Ｖに沿った長手方向断面図である。
【図６】図５に示された剃刀の柄の、線ＶＩ−ＶＩに沿った断面図である。
【図７】図３Ａに示された剃刀の柄の、線ＶＩＩ−ＶＩＩに沿った断面図である。
【図８】図５に示された剃刀の柄の、線ＶＩＩＩ−ＶＩＩＩに沿った断面図である。
【図９】図５に示された剃刀の柄の、線ＩＸ−ＩＸに沿った断面図である。
【図１０】図３Ａの剃刀の柄の前端の部分上面図である。
【図１１】図１の剃刀の柄の側面図である。
【図１１Ａ】図１１の剃刀の柄の、線ＸＩＡ−ＸＩＡに沿った断面図である。
【図１１Ｂ】図１１の剃刀の柄の、線ＸＩＢ−ＸＩＢに沿った断面図である。
【図１１Ｃ】図１１の剃刀の柄の、線ＸＩＣ−ＸＩＣに沿った断面図である。
【図１１Ｄ】図１１の剃刀の柄の、線ＸＩＤ−ＸＩＤに沿った断面図である。
【図１１Ｅ】図１１の剃刀の柄の、線ＸＩＥ−ＸＩＥに沿った断面図である。
【図１１Ｆ】図１１の剃刀の柄の、線ＸＩＦ−ＸＩＦに沿った断面図である。
【図１１Ｇ】図１１の剃刀の柄の、線ＸＩＧ−ＸＩＧに沿った断面図である。
【図１１Ｈ】図１１の剃刀の柄の、線ＸＩＨ−ＸＩＨに沿った断面図である。
【図１１Ｉ】図１１の剃刀の柄の、線ＸＩＩ−ＸＩＩに沿った断面図である。
【図１１Ｊ】図１１の剃刀の柄の、線ＸＩＪ−ＸＩＪに沿った断面図である。
【図１１Ｋ】図１１の剃刀の柄の、線ＸＩＫ−ＸＩＫに沿った断面図である。
【発明を実施するための形態】
【００２３】
様々な図面において、同じ参照符号は同一の又は同様の構成要素を示す。
【００２４】
図１はウェットタイプの髭剃り用剃刀１を示す。本発明は、剃刀の柄２と、髭剃りカートリッジ３を備える。髭剃りカートリッジ３は好ましくは使い捨て式髭剃りカートリッジであって１つ又は幾つかの刃３Ａを備え、髭剃りカートリッジは図１及び図２にそれぞれ示すように、剃刀の柄に接続するか、又は剃刀の柄から外すことができる。髭剃りカートリッジ３はまた、少なくとも１つのトリミング用刃を、好ましくは刃３Ａに対向する側部に設けられている。トリミング用刃先は、刃３Ａの刃先に対して反対側に面している。
【００２５】
剃刀の柄２は、図４におけるように側面から見たときに概して湾曲した形状を有する。剃刀の柄２は前端２Ａと、後端２Ｂと、の間で長手方向に延び、後端２Ｂは前端２Ａに対向している。剃刀の柄２は、剃刀の柄２を把持する手のための細長い本体４をも有している。より正確には、細長い本体４は、後端２Ｂから前端２Ａに近い場所まで長手方向に延びる。剃刀の柄２は、前端２Ａまでの細長い本体４の延長部に接続手段５をさらに備える。言い換えると、細長い本体４は、後端２Ｂから接続手段５の始まりまで長手方向に延びる。髭剃り用剃刀１は、後端２Ｂから接続手段５の自由端（この自由端は、髭剃りカートリッジ３に接続される部分である）まで長手方向に延びる。
【００２６】
図３Ａ及び図３Ｂを参照すると、剃刀の柄２を正中面Ｐ１に対して対称とすることができ、長手方向Ｃにおける長さＬを有することを見て取ることができる。長手方向Ｃに沿って測定された細長い本体４の長さＬ４は、剃刀の柄２の長さＬの６０％〜９０％とすることができる。長手方向Ｃに沿って測定された接続手段５の長さＬ５は、剃刀の柄２の長さＬの１０％〜３０％とすることができる。長手方向Ｃにおける長さＬは、１００ｍｍ〜１５０ｍｍ、好ましくは約１２５ｍｍとすることができる。細長い本体４の長さＬ４は約１００ｍｍ〜約１２０ｍｍであり、一方で接続手段５の長さＬ５は約１５〜２５ｍｍである。例えば、剃刀の柄２の長さＬは約１２６ｍｍである。接続手段５の長さＬ５は約１７ｍｍである。細長い本体４の長さＬ４は、約１０８ｍｍである。
【００２７】
また、剃刀の柄２は、剃刀の柄２の長さＬに沿って、変化する高さＨ及び幅Ｗを画定することができる。剃刀の柄２の高さＨは、方向Ｃに沿って変化させることができるが、好ましくは１５ｍｍ〜２５ｍｍ、好ましくは約２０ｍｍである。図４に示すように、細長い本体４の最も小さい高さＨ１は、剃刀の柄２のほぼ中央に位置する。
【００２８】
剃刀の柄２が、前端２Ａの近傍に最大とされた幅Ｗ１を有する第１の拡大された部分Ｅｐ１をもまた有することを、図３Ａ及び３Ｂの剃刀の柄２の上面図及び下面図に見ることができる。また、細長い本体は、剃刀の柄２の後端２Ｂの近傍に位置する、最大とされた幅Ｗ２を有する第２の拡大された部分Ｅｐ２をも有する。第１及び第２の拡大された部分Ｅｐ１、Ｅｐ２は、剃刀の柄２の略中央に位置する細い部分Ｓｐによって一緒に接続されている。具体的には、細い部分Ｓｐは、最小とされた幅Ｗ３を有する。第１の拡大された部分Ｅｐ１はこの細い部分Ｓｐから接続手段５まで延び、第２の拡大された部分Ｅｐ２はこの細い部分Ｓｐから後端２Ｂまで延びる。第１及び第２の拡大された部分Ｅｐ１、Ｅｐ２は、長手方向Ｃに沿って長さＬＥｐ１、ＬＥｐ２を有し、これら長さＬＥｐ１、ＬＥｐ２はそれぞれ、細い部分Ｓｐによる、第１の拡大された部分Ｅｐ１と第２の拡大された部分Ｅｐ２との間の接続が滑らかな湾曲を有するように選択されている。
【００２９】
長さ方向Ｃに沿って測定された第１の拡大された部分Ｅｐ１の長さＬＥｐ１は、剃刀の柄２の長さＬの１０％〜２０％とすることができる。長さ方向Ｃに沿って測定された第２の拡大された部分Ｅｐ２の長さＬＥｐ２は、剃刀の柄２の長さＬの４０％〜７０％とすることができる。細い部分Ｓｐの長さＬＳｐは、剃刀の柄２の長さＬの１０％〜２０％とすることができる。例えば、第１の拡大された部分Ｅｐ１の長さＬＥｐ１は、約２５ｍｍである。第２の拡大された部分Ｅｐ２の長さＬＥｐ２は、約５５ｍｍである。
細い部分Ｓｐの長さＬＳｐは、約２５ｍｍである。
【００３０】
それらすべてが図１１に示したような剃刀の柄２に沿った断面である図１１Ａ〜１１Ｋに示したように、剃刀の柄２は断面において、剃刀の柄２の中央の近くに位置するゾーンを除いて、滑らかな角部を有する略台形状の形状を有している。この特定の領域では、断面における剃刀の柄２のおおよその形状は、図１１Ｈに示すように、より三角形状である。
【００３１】
この略台形状の形状は、例えば図１１Ｄ、１１Ｅ、及び１１Ｉに示す仮想の台形ＴＺによって図上に強調されている。台形状の形状は、指を置くための４つの異なる面を有するが、三角形状の形状は３つの異なる面しか有さない。また、その略台形状の形状のゆえに、剃刀の柄２は指による把持のためのより良く、大きな領域を有する。したがって、この特定の台形状の形状は、快適な把持と、髭剃りと、を容易にする。
【００３２】
接続手段５は細長い本体４と一体であるとともに、細長い本体４から延び、剃刀の柄２の前端２Ａにおける自由端６Ｂに向かって突出する２つの柔軟なアーム部６を備える。言い換えると、この柔軟なアーム部６及び細長い本体４が一体となっている。
【００３３】
図１０に示すように、２つのアーム部６は、髭剃りカートリッジ３への接続のための支持構造７を自由端６Ｂにそれぞれ設けられた、剃刀の柄２の長手方向Ｃから分岐するＶ字状に配置することができる。開示されている実施形態では、髭剃りカートリッジ３は枢動タイプであり、支持構造７は剃刀の柄２に接続されているときに髭剃りカートリッジ３の枢動を可能にし、一方でアーム部６間に延び、髭剃りカートリッジ３上に形成された溝部８Ａと協働する長手方向の柔軟な舌部８は、髭剃りカートリッジ３を図１に示すような静止位置に向かって付勢するばね力を提供する。しかし、髭剃りカートリッジ３はまた、髭剃りの柄２に対して固定することもできる。
【００３４】
それぞれのアーム部６は、その上面に複数の小さな空洞２１をさらに有する。そのような構造は、人間の髭剃りの目的のための接続手段５に十分な構造的強度を提供し、一方で剃刀の柄２のこの部分の重量及びコストを節約する。より正確には、アーム部６及び柔軟な舌部８は、滑らかな角部を有する四角形状の形状を有し、接続手段５の改善されたロバスト性を可能にする。
【００３５】
細長い本体４は外面４Ｅ、より正確には図３Ａ及び３Ｂに示すような上面４Ａ及び下面４Ｂを有し、下面４Ｂは上面４Ａに対向している。細長い本体４は、上面４Ａと、下面４Ｂと、の間に備えられた、互いに対向するとともに長手方向に延びる２つの側面４Ｃ、４Ｄをさらに有する。上面４Ａ及び下面４Ｂが、前端２Ａの近傍における下面４Ｂ（すなわち、接続手段５が手による把持を容易化するように設計された凹部分を有する）、及び後端２Ｂの近傍を除いて凸であることを図１１Ａ〜１１Ｉに見て取ることができる。
【００３６】
例えば、剃刀の柄２の長手方向断面図である図５に見られるように、細長い本体４及び接続手段５は、第１の材料２２から成形された一体構成要素を形成している。第１の材料２２は、いずれかの成形可能な材料とすることができる。好ましくは、第１の材料２２は剛体である。例えば、第１の材料２２はプラスティック及びゴムから選択される。また、細長い本体４及び接続手段５は、熱可塑性材料、例えばアクリロニトリルブタジエンスチレン（ＡＢＳ）又はポリプロピレン中に成形することができる。
【００３７】
細長い本体４は、このようにただ１つの材料を備えることができる。また別の実施形態では、細長い本体４は第１の材料２２とは異なる第２の材料２３も備えることができる。第２の材料は、ゴムから選択することができる。第２の材料２３は、熱可塑性エラストマ（ＴＰＥ）のような、エラストマ材料とすることができる。例えば、第２の材料２３は、弾性を有するとともに使用者によって変形可能であってもよい。
【００３８】
第２の材料２３は、プラスティックから選択することもできる。より正確には、第２の材料２３は剛体プラスティックとすることができる。第２の材料２３にプラスティックを使用することは、生産の低いコストと、剃刀の柄２の簡単な製造プロセスを可能にする。さらに、第２の材料２３は、第１の材料２２の色とは異なる色を有することができ、したがって第１の材料２２と第２の材料とのコントラストを示すことができる。また別の実施形態によれば、第２の材料２３は、剃刀の柄２に曇った見かけ（ｇｌａｚｅ  ｌｏｏｋ）を与えるように透明とすることができる。
【００３９】
第２の材料２３は、快適な手による把持と、すべての髭剃りポジションにおけるしっかりした指による把持と、のために必要とされる柔らかさを提供する。図３Ａ及び３Ｂに示されるように、上面４Ａの少なくとも一部分１９及び下面４Ｂの少なくとも一部分２０を第２の材料２３で覆って、前記部分１９、２０それぞれが上部把持領域と下部把持領域とを形成するようにすることができる。より好ましくは、例えば図１１Ａ〜１１Ｋに見られるように、第２の材料２３は細長い本体４の上面４Ａの大部分、好ましくはすべてを覆う。第２の材料２３はまた、細長い本体４の下面４Ｂの大部分、好ましくはすべてを覆う。
【００４０】
細長い本体４は、第１の孔部９をさらに含む。第１の孔部９は、好ましくは剃刀の柄２の第２の拡大された部分Ｅｐ２の中に配置される。細長い本体４は、第２の孔部１０をさらに含むことができる。第２の孔部１０は、好ましくは剃刀の柄２の第１の拡大された部分Ｅｐ１の中に配置される。
【００４１】
第１及び第２の孔部９、１０は、好ましくは細長い本体４の上面４Ａと下面４Ｂとの間に延びる貫通孔である。代替的に、第１及び第２の孔部９、１０は、側面４Ｃ、４Ｄ間に延びる貫通孔とすることもできる。さらに、第１及び第２の孔部９、１０は、細長い本体４の外面４Ｅ、特に上面４Ａ又は下面４Ｂに開口するめくら孔とすることができる。
【００４２】
図７、８、及び９に示すように、第１及び第２の孔部９、１０のそれぞれは、内部側壁９Ａ、１０Ａをそれぞれ有し、これら内部側壁９Ａ、１０Ａのそれぞれは、上面及び下面４Ａ、４Ｂ間において細長い本体の内側に備えられた内部空間９Ｂ、１０Ｂを区切る。より具体的には、第１及び第２の孔部９、１０のそれぞれの内部側壁９Ａ、１０Ａは、半円部分９Ｃ、１０Ｃを備える。第１及び第２の孔部９、１０は、これら半円部分９Ｃ、１０Ｃから、剃刀の柄２の中央の細い部分Ｓｐに向かって長手方向ＣにＶ状に収束する。また、第１及び第２の孔部９、１０の両方は、好ましくはそれぞれが図３Ａ及び３Ｂに示されたように上から又は下から見たときに反対方向にそれぞれ方向付けられた水滴形状を有する。言い換えると、上から、又は下からみると、細い部分Ｓｐを介して接続されている第１及び第２の孔部９、１０は、８の字を形成する一般的形状を有する。図７及び１１Ｊに示されるように、第２の材料２３は、第２の孔部１０の側壁１０Ｂ上に少なくとも部分的にオーバーフローすることができる。
【００４３】
第１の孔部９は、長手方向Ｃにおける剃刀の柄２の長さＬの１０％〜４０％とすることができる長さＬ９を有する。例えば、第１の孔部９の長手方向に沿った長さＬ９は、４０ｍｍ〜６０ｍｍ、好ましくは約４７ｍｍである。第２の孔部１０は、長手方向Ｃにおける剃刀の柄２の長さＬの１０％〜３０％とすることができる長さＬ１０を有する。例えば、第２の孔部１０の長手方向に沿った長さＬ１０は、１０ｍｍ〜３０ｍｍ、好ましくは約２２ｍｍである。また、図３Ｂに示すように、第１の拡大された部分Ｅｐ１は、接続手段５から剃刀の柄２の中央に向かって配置された第２の孔部１０の端部へ延びる。細い部分Ｓｐは、剃刀の柄２の中央に向かって配置された第２の孔部１０のこの端部から、これもまた剃刀の柄２の中央に向かって配置された第１の孔部９の端部へ延びる。第２の拡大された部分Ｅｐ２は、剃刀の柄２の中央に向かって配置された第１の孔部９の端部から、後端２Ｂへ延びる。
【００４４】
剃刀の柄２は、第１の孔部９内にそれぞれ配置された構成要素１２をさらに備える。構成要素１２は、好ましくは第１の孔部９の内部区間９Ｂ内に成形される。具体的には、構成要素１２は、第１の孔部９の形状とは異なる形状を有することができる。有利には、構成要素１２は第１の孔部９のサイズより小さなサイズを有する。この特定の実施形態によれば、構成要素１２は第１の孔部９の内部空間のすべてを満たすことはなく、第１の孔部９のいくらかの空間が、構成要素１２がない状態とされる。また、図３Ａ及び３Ｂに示すように、長手方向Ｃにおける第１の孔部９の長さＬ９は、構成要素１２の長手方向におけるサイズより大きい。
【００４５】
図５に示すように、構成要素１２は、長手方向Ｃに垂直な方向において第１の孔部９内に延びる部分１２Ｃを有する。この部分１２Ｃは、結果的に構成要素１２を剃刀の柄２内に、特に細長い本体４の第１の材料２２に固定することを可能とする。また、構成要素１２は使用者に見える外面１２Ｂを備える。より好ましくは、構成要素１２の外面１２Ｂは、髭剃り中に使用者が触れることができる。構成要素１２の外面１２Ｂは、球状の形状を有することができる。より正確には、外面１２Ｂは、図３Ｂに示すように、細長い本体４の少なくとも上面４Ａ及び／又は下面４Ｂにおいては球状の形状を有することができる。外面１２Ｂは卵型の形状を有することができる。より一般的には、構成要素１２の外面１２Ｂは、パラレリピペディック（ｐａｒａｌｌｅｌｉｐｉｐｅｄｉｃ）、立方体、又は円柱状の形状を有することができる。図面に記載されている実施形態では、構成要素１２の外面１２Ｂは、好ましくは球状の形状を細長い本体４の上面及び下面４Ａ、４Ｂに有する。
【００４６】
構成要素１２は細長い本体４と一体とすることができる。一体とすることによって、構成要素１２を細長い本体４の材料から作られることが理解される。
【００４７】
一実施形態によれば、構成要素１２は第１の材料２２から成る。例えば、構成要素１２は第１の材料２２から細長い本体４と一緒に成形することができ、それによって製造コストを減少することを可能にする。
【００４８】
また、構成要素１２は第２の材料２３から作ることもできる。図５に示すように、構成要素１２は、細長い本体４の上面４Ａ及び／又は下面４Ｂを覆う第２の材料２３と一体とされる。言い換えると、構成要素１２並びに、上面４Ａ及び／又は下面４Ｂを覆う第２の材料２３の層は一体であり、それによって材料の不連続が構成要素１２と細長い本体４の第２の材料２３との間に存在することがない。
【００４９】
図８に示すように、第１の孔部９は、長手方向Ｃに延びるとともに平面Ｐ１において第１の孔部９内にある細長い棒状部材１４によって２つの部分に分割される。細長い棒状部材１４は第１の材料２２から成る部分１４Ａを備え、この部分１４Ａは構成要素１２の周囲を部分的に取り囲む。第１の孔部９の内部側壁９Ａもまた、互いに対向し、好ましくは第１の材料２２から成る２つの小さな突出部１５Ａ、１５Ｂを備える。突出部１５Ａ、１５Ｂは内部側壁９Ａから突出し、構成要素１２の形状に対して部分的に相補的な形状を有する。
【００５０】
構成要素１２は、後端２Ｂの近傍に配置することができる。好ましくは、構成要素１２は、後端２Ｂから長手方向Ｃに沿って測定された、剃刀の柄２の長さＬの１０％〜３０％の距離Ｌ１２に位置する第２の点１２Ａを中心とする。例えば、距離Ｌ１２は後端２Ｂから約２１ｍｍとすることができる。
【００５１】
また、剃刀の柄２は第２の孔部１０の内部空間１０Ｂ内に配置された挿入部材１１を備えることができる。挿入部材１１は、図５に示すように、第２の孔部１０内に部分的に封止することができる。好ましくは、挿入部材１１の表面の７５％未満、好ましくは５０％未満が第２の孔部１０内に封止される。言い換えると、封止された挿入部材１１の表面は、細長い本体４の第１の材料２２で周囲を取り囲まれているので、使用者が直接触ることはできない。さらに、挿入部材はまた封止されていない外面１１Ｂをも有する。
【００５２】
挿入部材１１は球状の形状を有することができる。挿入部材１１は卵型の形状を有することができる。より一般的には、挿入部材１１は、パラレリピペディック、立方体、又は円柱状の形状を有することができる。特に、挿入部材１１は第２の孔部１０の形状とは異なる形状を有することができる。有利には、挿入部材１１は、第１の孔部のサイズより小さなサイズを有する。図３Ａ及び３Ｂに示すように、第２の孔部１０の長手方向Ｃにおける長さＬ１０は、挿入部材１１の長手方向サイズより大きい。
【００５３】
挿入部材１１は好ましくは、金属、プラスティック、及びゴムから選択された材料から成る。具体的には、挿入部材１１は好ましくは第１の材料２２及び細長い本体４の第２の材料２３の密度とは大きく異なる密度を有する剛体材料から成る。それによって、挿入部材１１は、剃刀の柄２の体積を大幅に増加させることなく剃刀の柄２の重量を増加させることに寄与する。したがって、剃刀の柄２は、良好な髭剃りを提供し、髭剃りカートリッジ３の刃３Ａと髭剃りされる使用者の皮膚との間に良好な接触が提供されることを確実にするのに十分重くすることができる。髭剃りカートリッジ３がトリミング用刃を備える実施形態では、剃刀の柄２は、このトリミング用刃を使用するために９０度だけ反転することができる。トリミング位置では、挿入部材１１は髭剃り中と同じ目的を維持する。挿入部材１１は、トリミング用刃とトリムされる髪との間の接触を制御するのを助ける確定された表面を依然として提供する。さらに、好ましくは細長い本体４の下面４Ｂを封止されていない挿入部材１１の面に指を置くことによって、挿入部材１１を使用者による把持表面として依然として使用することができる。したがって、使用者は指の配置を調整することを強制されず、剃刀の柄２を髭剃りに対するのと同じ態様で使用することができる。
【００５４】
さらに、挿入部材１１によって、細長い本体４は、既知の剃刀の柄に使用されている材料と比較すると、軽く安価な材料で作ることができる。第１及び第２の材料２２、２３の軽さにもかかわらず、剃刀の柄２は高品質な外観と、挿入部材のおかげの最適化された重量を依然として有する。挿入部材１１の材料を、細長い本体４の第１及び第２の材料２２、２３と異ならせることができるので、使用者は、指が剃刀の柄２の挿入部材１１上にうまく置かれるかどうかを、触れることを通じて容易に知ることができる。また、挿入部材１１の位置を認識することによって、使用者は、指を置く領域として提供することができる第１の孔部１０の自由空間に指を置くように導かれることができる。好ましくは、挿入部材１１は金属のみからなり、他のいずれの材料も備えない。
【００５５】
また、挿入部材１１はいくつかの材料で作ることができる。具体的には、挿入部材１１は、滑らかな表面を有する別の材料の層で覆うことができる。例として、挿入部材１１を金属で作り、ゴムの層で覆うことができる。この実施形態では、層は０．５μｍ〜１．６μｍ（粗さＲａ）の表面仕上げを有することができる。また別の代替例として、挿入部材１１は、その半球がゴムからなり、他の半球がプラスティックからなる球体とすることができる。このように、挿入部材１１は、異なるタイプの指を置く領域を提供することによって２つの目的を果たすことができる。
【００５６】
挿入部材１１は、好ましくは第２の孔部１０内に好都合に固定された状態に保持され、したがって使用者によって第２の孔部１０から取り外せないようにすることができる。さらに、挿入部材１１は第２の孔部１０内においていずれの態様でも動かすことができない。したがって、挿入部材１１は第２の孔部１０に対して可動ではない（動かせないか又は静止している）。動かない挿入部材１１はしたがって、指を置く領域を形成する。より正確には、挿入部材１１は第２の孔部１０内を滑動することができない。より具体的には、図７に示すように、好ましくは第１の材料２２で作られた保持リング１３が、剃刀の柄２の対称面Ｐ１に垂直な平面Ｐ２内の第２の孔部１０の内部側壁１０Ａから突出し、前記挿入部材１１を前記第２の孔部１０内に保持するために挿入部材１１を部分的に周面で取り囲む。
【００５７】
しかし、また別の実施形態では、挿入部材１１は、すべての方向にその自身の軸の周りにそれ自体で回転することができる球体とすることができる。また、挿入部材１１が球体である場合には、挿入部材１１の回転を容易とするために挿入部材１１と保持リング１３との間に隙間を提供することができる。隙間は、挿入部材１１の選択された回転自由度に依存して、０．００５μｍ〜０．０２５μｍとすることができる。小さい隙間は挿入部材が容易に回転することを妨げ、大きな隙間は回転を容易とする。挿入部材１１の表面仕上げは、この可動性、特に回転を可能にするように適用される。挿入部材１１が異なる材料から成り、したがって異なる密度を有する２つの半球を備える場合には、使用者は必要に応じて挿入部材１１を回転させることによって、２つの半球間を切り替えることができる。指のうちの１本をそのような可動な挿入部材１１上に位置付けることができる使用者は、指が挿入部材１１上で絶えず滑動するので髭剃りが困難であることがわかるだろう。したがって、髭剃りは正確ではなく、快適でない。したがって、挿入部材１１が第２の孔部１０に対して可動である場合には、指を置く領域を形成することができない。
【００５８】
挿入部材１１は前端２Ａの近傍に配置される。好ましくは、挿入部材１１は、前端２Ａから長手方向Ｃに沿って測定された、剃刀の柄２の長さＬの１０％〜３０％の距離Ｌ１１に位置する第１の点１１Ａを中心とする。例えば、距離Ｌ１１は、前端２Ａから約２５ｍｍとすることができる。
【００５９】
構成要素１２の表面１２Ｂ及び／又は挿入部材１１の表面１１Ｂは、以下に詳細に述べるように、直接的又は間接的に使用者の指に接触可能であってもよい。また、構成要素１２の外面１２Ｂ及び／又は挿入部材１１の表面１１Ｂは、細長い本体４の上面４Ａ及び／又は下面４Ｂ上に指を置く領域を形成することができる。このように、使用者が髭剃りをしたいときには、使用者は指を構成要素１２及び／又は挿入部材１１の上、好ましくは構成要素１２の表面１２Ｂの上及び／又は封止されていない挿入部材１１の外面１１Ｂの上に、位置させることができる。
【００６０】
好ましくは、構成要素１２及び挿入部材１１は、剃刀の柄２が人差し指と親指との間に保持され、親指が上面４Ａ上の挿入部材１１上に置かれ、人差し指が剃刀の柄２の下面４Ｂにおける挿入部材１１上に置かれる位置のような、所定の髭剃り位置における手による把持を向上させる。また、別の髭剃り位置では、使用者は親指及び人差し指を構成要素１２上に置くこともできる。しかし、構成要素１２は、細長い棒状部材１４が構成要素１２を部分的に覆っている場合があるので、上面４Ａ上の使用者の指で直接触れることはできない場合がある。この代替例によれば、構成要素１２は、細長い棒状部材１４の第１の材料２２によって少なくとも部分的に覆われている。使用者は、髭剃りの際に、細長い本体４の上面４Ａ上の細長い棒状部材１４上に指を位置づけることができる。
【００６１】
また、挿入部材１１用に及び／又は構成要素１２用に選択された材料は、使用者が指を挿入部材１１及び構成要素１２の上に置くときに、使用者の感覚経験に影響を与える。例として、金属からなる挿入部材１１は使用者の指にピンポイントの接触を与え、それによって髭剃りから伝えられたすべての振動の伝達を可能にする。対照的に、例えば熱可塑性プラスティックのようなゴムから選択された第２の材料２３からなる構成要素１２は、髭剃りからのほとんどの振動を吸収し、それらを使用者の指に伝達しない。
【００６２】
第２の孔部１０内に設けられる挿入部材１１は金属から作ることができ、一方で第１の孔部９内に設けられる構成要素１２はゴムから作ることができる。この代替例によれば、挿入部材１１は金属性であり、使用者がその上に人差し指を置くときに、快適な感覚及び柄の制御を強化する。この代替例は、金属製の挿入部材１１と、構成要素１２の第２の材料と、の間に存在する、質感、温度、及び形状の違いによる、使用者の方向的な触覚のフィードバックを強化する。
【００６３】
また、挿入部材１１及び構成要素１２は一様でない表面、例えば刻みつきのパターン又は窪みパターンによるクレータ又はバンプを有する表面を有することができる。実際に、挿入部材１１及び構成要素１２の表面のタイプは、使用者が指を挿入部材１１及び／又は構成要素１２の上に指を置く際に、使用者の質感の感覚に影響を与える。
【００６４】
挿入部材１１及び構成要素１２は、類似した形状又は異なる形状を有することができる。挿入部材１１及び構成要素１２は、同じ寸法を有することができるか、又は異なる寸法を有することができる。図１〜３及び５〜９に示すように、挿入部材１１のそれぞれ及び構成要素１２のそれぞれは、球状の形状の外面１１Ｂ、１２Ｂを有する。そのような挿入部材１１の外面及び構成要素１２の外面は、長手方向Ｃに垂直な方向において測定された、好ましくは細長い本体４の幅Ｗ１の１０％〜８０％のそれぞれの直径Ｄ１１、Ｄ１２を有する。例えば、直径Ｄ１１、Ｄ１２は、１０ｍｍ〜２０ｍｍ、好ましくは１５ｍｍ未満、より好ましくは約１２ｍｍである。しかし、構成要素１２は、挿入部材１１の直径Ｄ１１とは異なる直径Ｄ１２を有することができる。構成要素１２の外面１２Ｂは、球状の形状を有し、剃刀の柄２の上に指を置いたときに柔らかさを高める。構成要素１２の外面１２Ｂは、挿入部材１１もまた球状である特定の代替例において、挿入部材１１との視覚的連続性をも高める。しかし、この代替例によれば、挿入部材１１のそれぞれ、及び構成要素１２のそれぞれは、完全な球でなくてもよく、部分的に湾曲する表面、特に指を置く領域として提供された部分的な球面を備えるだけでも良い。
【００６５】
図５に示すように、挿入部材１１及び構成要素１２が球状の形状を有する特定の実施形態では、第１の点１１Ａ及び第２の点１２Ａそれぞれは、前記挿入部材１１及び構成要素１２の中心に対応する。長手方向（Ｃ）に沿って測定された第１の点１１Ａと、第２の点１２Ａと、の間の距離Ｌ１１−１２は、好ましくは剃刀の柄２の長さＬの５０％〜７０％である。距離Ｌ１１−１２は、６０ｍｍ〜１０ｍｍ、好ましくは約７８ｍｍとすることができる。しかし、この距離Ｌ１１−１２は細長い本体４の長さＬ４及び、挿入部材１１及び構成要素１２によって好ましい重量バランスによって、変化させることができる。
【００６６】
構成要素または挿入部材を有さない既知の剃刀は、通常、剃刀の柄の中心に位置するか、又はわずかに剃刀の柄に向かう前端に向かうバランスの中心を有している。このために、このバランスの中心を達成するように、剃刀の柄の後部はその前部より大幅に大きくすることができず、またその逆もできない。本発明では、剃刀の柄２の前端２Ａからの正確な位置に挿入部材１１を付加することによって、剃刀の柄２の形状に関わらず、このバランスン中心の位置を制御することができる。例えば、第２の拡大された部分Ｅｐ２が第１の拡大された部分Ｅｐ１より大幅に大きいとしても、バランスの中心を長手方向Ｃにおける剃刀の柄２の中心に位置させることができる。好ましくは、挿入部材１１の、及び構成要素１２の内包物は、細長い本体４の形状の過剰な変形をもたらすことはない。細長い本体４の形状は、好ましくはいずれの挿入部材又はいずれの構成要素も含まない細長い本体の形状と同様のままである。
【００６７】
細長い本体４の側面４Ｃ、４Ｄは、第２の材料２３から成る複数の滑らかなリブ１６をさらに備える。図４に示すように、細長い本体４の側面４Ｃ、４Ｄのそれぞれは、好ましくは上部把持領域及び下部把持領域１９、２０を一緒に接続する複数のリブ１６を備える。図４に示す特定の実施形態では、第１の拡大された部分Ｅｐ１の側面４Ｃ、４Ｄのそれぞれは２つのリブ１６を備え、第２の拡大された部分Ｅｐ２の側面４Ｃ、４Ｄは４つのリブ１６を備える。図１〜４及び１０に示すように、側面４Ｃ、４Ｄそれぞれはまた、接続手段５と一体とされた離間して突出する複数のピン１８を備えるとともに、接続手段５の細長い本体４との結合点において剃刀の柄２の前端２Ａの近傍に配置された側部把持領域１７を備える。この側部把持領域１７は、特に親指と人差し指とが前端２Ａ及び好ましくは正確な髭剃りの必要性を満足させるためのアーム部６に非常に近接して位置する髭剃り位置において剃刀の柄２の指による把持を強化する。
【００６８】
一実施形態によれば、構成要素１２の位置と、挿入部材１１の位置とを交換することができる。より正確には、構成要素１２は前端２Ａの近傍に配置することができ、挿入部材１１は後端２Ｂの近傍に配置することができる。この実施形態によれば、第１の孔部９は前端２Ａの非常に近傍に配置され、第１の孔部１０は後端２Ｂの近傍に配置される。また、挿入部材１１はしたがって、後端２Ｂから長手方向Ｃに沿って測定された、剃刀の柄２の長さＬの１０％〜３０％の距離Ｌ１１に位置する第１の点１１Ａを中心とする。例えば、距離Ｌ１１は、後端２Ｂから約２１ｍｍとすることができる。構成要素１２は、前端２Ａから長手方向Ｃに沿って測定した、剃刀の柄２の長さＬの１０％〜３０％の距離Ｌ１２に位置する第２の点１２Ａを中心とする。例えば、距離Ｌ１２は、前端２Ａから約２５ｍｍとすることができる。
【００６９】
また、剃刀の柄２は挿入部材１１を備えなくてもよいが、代わりに第２の孔部１０の内部空間１０Ｂ内にそれぞれ位置された構成要素１２と同一の第２の構成要素を備えることができる。この実施形態によれば、第２の構成要素は第１の材料２２又は第２の材料２３から作ることができる。
【００７０】
剃刀の柄２は、１つ以上の挿入部材と、１つ以上の固定された構成要素と、を有することができる。例えば、剃刀の柄２は別の挿入部材又は別の構成要素がその中に配置された第３の孔部を備えることができる。さらに、いくつかの構成要素及び／又は挿入部材を同じ孔部内に配置することができる。例えば、いくつかの挿入部材は小さな直径を有し、例えば３つの挿入部材を第２の孔部１０内に配置することができる。同様に、いくつかの小さい構成要素、例えば３つの構成要素を第１の孔部９内に配置することができる。
【符号の説明】
【００７１】
１                剃刀
２                剃刀の柄
２Ａ              前端
２Ｂ              後端
３                髭剃りカートリッジ
４                細長い本体
４Ａ              上面
４Ｂ              下面
４Ｃ、４Ｄ        側面
４Ｅ              外面
５                接続手段
９                第１の孔部
９Ａ              内部側壁
９Ｂ、１０Ｂ      内部空間
１０              第２の孔部
１０Ａ            内部側壁
１１              挿入部材
１１Ａ            第１の点
１２              構成要素
１２Ａ            第２の点
１２Ｂ            外面
１２Ｃ            部分
１３              保持リング
１４              棒状部材
１４Ａ            取り囲む部分
１５Ａ、１５Ｂ    突出部
１６              リブ
１８              ピン
１９              一部、上部把持領域
２０              一部、下部把持領域
２２              第１の材料
２３              第２の材料
Ｃ                長手方向
Ｄ１１            直径
Ｌ                長さ
Ｌ１１            距離
Ｌ１２            距離
Ｌ１１−１２      距離
ＴＺ              略台形状の形状
Ｗ１              幅
【図１】
0006362766.tif 000002
【図２】
0006362766.tif 000003
【図３Ａ】
0006362766.tif 000004
【図３Ｂ】
0006362766.tif 000005
【図４】
0006362766.tif 000006
【図５】
0006362766.tif 000007
【図６】
0006362766.tif 000008
【図７】
0006362766.tif 000009
【図８】
0006362766.tif 000010
【図９】
0006362766.tif 000011
【図１０】
0006362766.tif 000012
【図１１】
0006362766.tif 000013
【図１１Ａ】
0006362766.tif 000014
【図１１Ｂ】
0006362766.tif 000015
【図１１Ｃ】
0006362766.tif 000016
【図１１Ｄ】
0006362766.tif 000017
【図１１Ｅ】
0006362766.tif 000018
【図１１Ｆ】
0006362766.tif 000019
【図１１Ｇ】
0006362766.tif 000020
【図１１Ｈ】
0006362766.tif 000021
【図１１Ｉ】
0006362766.tif 000022
【図１１Ｊ】
0006362766.tif 000023
【図１１Ｋ】
0006362766.tif 000024